(57)【要約】【課題】  壁材に透孔を形成した後、壁裏に配線用ボックスを設置するに際し、前記壁裏のスペースが小さい場合においても、ケーブルを大きく折曲させることなく配線し、もって、ケーブルの断線及び破損を防止し、かつ、設置時に、前記配線用ボックスを壁材の透孔内に円滑に押戻し、また、前記壁裏のスペースが小さい場合でも、ケーブルの引出部における気密状態を確保する。【解決手段】  底壁４と側壁３とを有し、建物の壁材Ｗの透孔Ｈに壁表から挿入されて、開口２を該壁材Ｗの表側に臨ませるよう該壁材Ｗの裏側に配設されるボックス本体１ａを備え、前記ボックス本体１ａの底壁４の外面と側壁３の外面との間に前記開口２の軸線に対して傾斜した傾斜面１０を形成し、前記傾斜面１０には、前記壁材Ｗの裏側に配線されたケーブルＣを前記ボックス本体１ａ内に導くための挿通孔１６を形成した。【選択図】  図１１
2005151666.tif 000002
【特許請求の範囲】
【請求項１】
底壁と、前面に開口を形成すべく該底壁に立設された側壁とを有し、建物の壁材に形成された透孔に該壁材の表側から挿入されて、前記開口を該壁材の表側に臨ませるよう該壁材の裏側に配設されるボックス本体を備え、
前記ボックス本体の底壁外面と側壁外面との間に前記開口の軸線に対して傾斜した傾斜面が形成され、
前記傾斜面には、前記壁材の裏側に配線されたケーブルを前記ボックス本体内に導くための挿通孔が形成され、
前記挿通孔は、該挿通孔の前記ボックス本体の外側に向けて延びる軸線が、該ボックス本体の斜め背方に臨むように形成されたことを特徴とする配線用ボックス。
【請求項２】
底壁と、前面に開口を形成すべく該底壁に立設された側壁とを有し、建物の壁材に形成された透孔に該壁材の表側から挿入されて、前記開口を該壁材の表側に臨ませるよう該壁材の裏側に配設されるボックス本体を備え、
前記ボックス本体の底壁外面の一部には、前記開口の軸線に対して傾斜した傾斜面が形成され、
前記傾斜面には、前記壁材の裏側に配線されたケーブルを前記ボックス本体内に導くための挿通孔が形成され、
前記挿通孔は、該挿通孔の前記ボックス本体の外側に向けて延びる軸線が、該ボックス本体の斜め背方に臨むように形成されたことを特徴とする配線用ボックス。
【請求項３】
底壁と、前面に開口を形成すべく該底壁に立設された側壁とを有し、建物の壁材に形成された透孔に該壁材の表側から挿入されて、前記開口を該壁材の表側に臨ませるよう該壁材の裏側に配設されるボックス本体を備え、
前記ボックス本体の側壁外面の一部には、前記開口の軸線に対して傾斜した傾斜面が形成され、
前記傾斜面には、前記壁材の裏側に配線されたケーブルを前記ボックス本体内に導くための挿通孔が形成され、
前記挿通孔は、該挿通孔の前記ボックス本体の外側に向けて延びる軸線が、該ボックス本体の斜め背方に臨むように形成されたことを特徴とする配線用ボックス。
【請求項４】
前記挿通孔は、前記ボックス本体の底壁外面に凹設された凹部を構成する傾斜面に形成されたことを特徴とする請求項２に記載の配線用ボックス。
【請求項５】
前記挿通孔は、前記ボックス本体の底壁外面に凸設された凸部を構成する傾斜面に形成されたことを特徴とする請求項２に記載の配線用ボックス。
【請求項６】
前記挿通孔は、前記ボックス本体の側壁外面に凹設された凹部を構成する傾斜面に形成され、前記ボックス本体の凹部の背方における側壁外面に、該凹部内に導かれるケーブルを、前記ボックス本体の外側方に突出させることなく該ボックス本体の背方に案内可能であるとともに、前記凹部の背方の適宜位置で該ケーブルを該ボックス本体の外側方に突出可能とすべく、該ボックス本体の背方及び外側方に開口する開口部が前記凹部と連通して凹設されたことを特徴とする請求項３に記載の配線用ボックス。
【請求項７】
前記挿通孔は、前記ボックス本体の側壁外面に凸設された凸部を構成する傾斜面に形成されたことを特徴とする請求項３に記載の配線用ボックス。
【請求項８】
前記挿通孔は、気密構造であることを特徴とする請求項１乃至請求項７のいずれか１項に記載の配線用ボックス。
【請求項９】
前記傾斜面は、その縁端部に、ケーブルが前記縁端部から傾斜面に平行して側方にはみ出るのを防止するはみ出し防止壁が設けられたことを特徴とする請求項１乃至請求項８のいずれか１項に記載の配線用ボックス。
【請求項１０】
前記挿通孔は、一の傾斜面に複数設けられたことを特徴とする請求項１乃至請求項９のいずれか１項に記載の配線用ボックス。
【請求項１１】
前記傾斜面及び挿通孔は、それぞれ複数設けられたことを特徴とする請求項１乃至請求項１０のいずれか１項に記載の配線用ボックス。
【発明の詳細な説明】
【技術分野】
【０００１】
本発明は、建物などの壁裏に設置され、内部にスイッチ、コンセント等の配線器具が収容される配線用ボックスに関するものであり、特に、前面開口を壁表に臨ませるための透孔が壁材に穿設された後に壁表側から前記透孔内に収容して壁裏に設置される配線用ボックスに関するものである。
【背景技術】
【０００２】
従来より、この種の配線用ボックスとして、例えば、特開２００２−１７１６３３号公報に掲載の技術が開示されている。図２１乃至図２３は前記特開２００２−１７１６３３号公報に掲載の配線用ボックスを示している。
【０００３】
図２１乃至図２３において、壁材Ｗにはこれに設けられた矩形状の透孔Ｈを介して矩形箱状の配線用ボックス３１が取付けられるようになっており、前記配線用ボックス３１内には配線器具３２が収容されるようになっている。前記配線用ボックス３１は前面に開口３１ａが設けられ、その周縁には前記壁材Ｗの表面と当接するフランジ３１ｂが形成されている。前記配線用ボックス３１の前面には取付ねじ３３を介して配線器具取付枠３４が取付けられ、前記配線器具３２はこの配線器具取付枠３４に取着されて前記配線用ボックス３１内の所定位置に収容されるようになっている。そして、前記配線器具取付枠３４の前面には化粧プレート３５が取着されるものとなっている。なお、図２１においては、前記配線器具取付枠３４は配線器具３２を１個取付けたものを示しているが、上下にも並設して３個まで取付けることができる。
【０００４】
一方、前記配線用ボックス３１は底面側も開口し、この底面の開口にはこれを閉塞することによって室内外の空気流通を遮断して室内の冷暖房効率の低下を防止するとともに壁裏の塵挨等の侵入を防止するための防気蓋３６が前記配線用ボックス３１の背面側から取着できるようになっている。前記防気蓋３６は軟質材で形成され、前記配線用ボックス３１の底面の開口を閉塞する蓋部３６ａにはケーブルＣが挿通される挿通部３６ｂが設けられている。
【０００５】
更に、前記配線用ボックス３１には前記取付ねじ３３に螺合して前記壁材Ｗの室外側面に当接する挟持突片３７が取付けられており、この挟持突片３７は前記取付ねじ３３の螺進によって配線用ボックス３１のフランジ３１ｂとで壁材Ｗを挟持するようになっている。
【０００６】
このように構成された配線用ボックス３１を壁裏に設置するには、まず、壁材Ｗに矩形状の透孔Ｈを設け、次に、壁裏に配設されているケーブルＣを前記透孔Ｈから壁表に引出して配線器具取付枠３４に取着された配線器具３２と壁表において接続し、この配線器具３２を配線用ボックス３１内に収容した後、前記配線用ボックス３１を前記透孔Ｈ内に押戻す。しかる後、取付ねじ３３を螺進して挟持突片３７を壁材Ｗ側に引寄せ、前記挟持突片３７と前記配線用ボックス３１のフランジ３１ｂとで壁材Ｗを挟持することによって行なうことができる。
【０００７】
この特開２００２−１７１６３３号公報に掲載の配線用ボックスは、配線用ボックス３１のフランジ３１ｂと挟持突片３７とで壁材Ｗを挟持するから、前記壁材Ｗへの配線用ボックス３１及び配線器具３２の取付けを短時間で行なうことができる。
【特許文献１】特開２００２−１７１６３３号公報
【発明の開示】
【発明が解決しようとする課題】
【０００８】
しかし、この種の壁材に配線されるケーブルは一般に剛性が高く屈曲性に乏しいものである。このため、前記特開２００２−１７１６３３号公報に掲載の配線用ボックス３１を用いた配線用ボックス装置においては、図２４に示すように、壁裏において壁材Ｗとは別の壁材Ｗ１が前記壁材Ｗと平行して立設され、前記両壁材間の距離が短かく、壁裏が狭くなっている場合には、ケーブルＣは防気蓋３６の蓋部３６ａの外面と前記別の壁材Ｗ１とが近接しているため、配線器具３２との結線後配線用ボックス３１を透孔Ｈ内に押戻すときに該別の壁材Ｗ１と当接してそれ以上の押込みが困難となる。無理に押込めば、該挿通部３６ｂから引出されたケーブルＣは別の壁材Ｗ１に当接するまでの間に一旦押下げられた後折曲部Ｃ１において急激に折曲することとなり、内部の電線が断裂したり、その被覆に亀裂などの破損を生じたりするおそれがあった。
【０００９】
また、前記別の壁材Ｗ１には釘等が打込まれているが、無理に配線用ボックス３１を押戻すことにより、前記ケーブルＣが前記別の壁材Ｗ１に押付けられていると、前記ケーブルＣの逃げ場がなく、釘が貫通して漏電の原因となることもあった。
【００１０】
更に、ケーブルＣが折曲部Ｃ１において急激に折曲げられた状態においては挿通部３６ｂから外方に引出されたケーブルＣは一旦下方に曲げられることになるので、軟質材で形成された防気蓋３６の挿通孔３６ｂの引出部は弾性変形し、この部分に図２４に示す隙間３６ｃを生じ、配線用ボックス３１内外の気密状態が損なわれることとなる。その結果、この配線用ボックス３１を介して室内外の空気が流出入し、壁裏の塵埃等が室内に流入したり、室内の温度、湿度の空調管理効率が低下する原因ともなった。
【００１１】
また、前記挿通部３６ｂの引出部には曲げによる過大な負荷がかかり、軟質材の寿命を短くすることともなった。
【００１２】
ところで、配線用ボックス３１に設けられた挿通部或いは防気蓋３６の挿通部３６ｂを壁裏の他の壁材Ｗ１と面する底壁側ではなく、図２５に示すように、配線用ボックス３１の側壁に挿通孔３１ｃとして設けたものがある。この配線用ボックス３１の場合には、ケーブルＣを急激に屈曲させることなく前記配線用ボックス３１内に引込むことが可能であるので、急激に屈曲させることによるケーブルの断線や破損を防止することが可能である。
【００１３】
しかし、壁材Ｗの透孔Ｈは、見栄え及び塵埃等の侵入防止の点などから、挿入される配線用ボックス３１の大きさ、形状に対応して形成され、前記配線用ボックス３１の側壁との隙間を極く小さくしている。このため、図２５に示すように、ケーブルＣを一旦壁表に引出して配線器具と接続し、この配線器具を配線用ボックス３１内に収容した後、前記配線用ボックス３１を透孔Ｈ内に押戻すときに、前記配線用ボックス３１の側壁の挿通孔３１ｃから外側方に引出されたケーブルＣは前記壁材Ｗの透孔Ｈまでの間に外側方に突出する湾曲部Ｃ２が形成されることとなる。このため、これが透孔Ｈの周縁部と配線用ボックス３１の側壁との間に挟み込まれて前記透孔Ｈ内に円滑に挿入することができないという不具合があった。そして、ケーブルＣを透孔Ｈの縁部にこじながら無理に押込めば、ケーブルＣの内部の電線を断裂したり、その被覆を傷めてしまうこととなった。
【００１４】
そこで、本発明は、壁裏に配設されたケーブルに配線器具を接続すべく壁材に透孔を形成した後該壁裏に設置するに際し、前記壁裏のスペースが小さい場合であっても、ケーブルを急激に折曲させることなく配線し、もって、該ケーブルの断線及び破損を防止し、かつ、設置時に、前記ケーブルと接続された配線器具を内部に収容した後、壁材の透孔内に円滑に押戻すことができる配線用ボックスの提供を第一の課題とし、また、前記壁裏のスペースが小さい場合でも、ケーブルの引出部における気密状態を確保できる配線用ボックスの提供を第二の課題とするものである。
【課題を解決するための手段】
【００１５】
請求項１にかかる配線用ボックスは、底壁と、前面に開口を形成すべく該底壁に立設された側壁とを有し、建物の壁材に形成された透孔に該壁材の表側から挿入されて、前記開口を該壁材の表側に臨ませるよう該壁材の裏側に配設されるボックス本体を備え、前記ボックス本体の底壁外面と側壁外面との間に前記開口の軸線に対して傾斜した傾斜面が形成され、前記傾斜面には、前記壁材の裏側に配線されたケーブルを前記ボックス本体内に導くための挿通孔が形成され、前記挿通孔は、該挿通孔の前記ボックス本体の外側に向けて延びる軸線が、該ボックス本体の斜め背方に臨むように形成されたものである。
【００１６】
本発明に適用されるのは、建物の壁材に配線器具を取付けるに際し、壁裏に配設されているケーブルと接続するために、まず、壁材に透孔を穿設し、次いで、壁裏に配設されているケーブルを透孔から壁表に引出して壁表側で前記ケーブルの配線器具を接続した後、該配線器具を前記配線用ボックス内に収容し、この配線用ボックスを前記壁材の透孔から壁裏側に押戻して設置する、いわゆる、後付けタイプの配線用ボックスである。
【００１７】
前記配線用ボックスは、前面にフランジ等を設け、このフランジ等に取付ねじを取付けて設置することができる。或いは、前面に設けられたフランジと、外壁に取付けられて開口方向に螺進退する挟持突片とで壁材を挟持して壁裏に設置することもできる。この場合には、配線用ボックスを壁裏に設置する作業を一人で簡単に行なうことができる。
【００１８】
前記ボックス本体の底壁外面と側壁外面との間には前記開口の軸線に対して傾斜する傾斜面が形成されており、この傾斜角度は一般には４５度程度が適当である。但し、それに限定されるものではなく、ケーブルの屈曲性、線径、設置スペースと関連する壁厚等を考慮して最適値を設定すればよい。
【００１９】
また、傾斜面の長さ、巾、形状等も同様にケーブルの屈曲性等を考慮して設定すればよい。
【００２０】
前記底壁と側壁との間に傾斜面が設けられ、この傾斜面にケーブルの挿通孔が形成されていることにより、例えば、ケーブルが壁裏において上方から吊下げられた状態で配設されている場合には、前記ケーブルは壁裏において前記挿通孔から斜め上方向に立上がる状態となる。そして、挿通孔が設けられている面が傾斜している分だけ壁裏に設けられた別の壁材までの距離が長くなる。したがって、壁裏に前記別の壁材が立設されて壁厚が小さく、即ち、壁裏のスペースが小さい場合においても、図２４に示した、底壁側に挿通孔が設けられた従来の配線用ボックスに比べて前記配線用ボックスの挿通孔から壁裏の別の壁材までの距離が前述のように長いので、壁裏のケーブルが前記底壁側に挿通孔が設けられた配線用ボックスのように該挿通孔の引出部において急激に折曲することがなく、緩やかな曲線状態で通線される。
【００２１】
また、前述のようにケーブルが壁裏において上方から吊下げられた状態で配設されている場合において、壁裏のケーブルを一旦引出した後、壁表で配線器具を接続し、配線用ボックス内に収容してから該配線用ボックスを壁材の透孔内に押戻すとき、ケーブルは配線用ボックスの傾斜面の挿通孔から緩やかな曲線状態となって該配線用ボックスの外方に引出される。加えて、挿通孔が設けられている面が傾斜している分だけ前記挿通孔の位置が外壁面から内部側に後退する。したがって、図２５に示した、ケーブルの挿通孔が配線用ボックスの上部の側壁に設けられている従来の配線用ボックスのように壁材の透孔までの間でケーブルが挿通孔から上方に湾曲した状態で突出するのを回避することができる。
【００２２】
請求項２にかかる配線用ボックスは、請求項１に記載の傾斜面が前記ボックス本体の底壁外面の一部に形成されたものである。
【００２３】
請求項３にかかる配線用ボックスは、請求項１に記載の傾斜面が前記ボックス本体の側壁外面の一部に形成されたものである。
【００２４】
請求項４にかかる配線用ボックスは、請求項２に記載の挿通孔が、ボックス本体の底壁外面に凹設された凹部を構成する傾斜面に形成されたものである。
【００２５】
請求項５にかかる配線用ボックスは、請求項２に記載の挿通孔が、ボックス本体の底壁外面に凸設された凸部を構成する傾斜面に形成されたものである。
【００２６】
請求項６にかかる配線用ボックスは、請求項３に記載の挿通孔が、前記ボックス本体の側壁外面に凹設された凹部を構成する傾斜面に形成され、前記ボックス本体の凹部の背方における側壁外面に、該凹部内に導かれるケーブルを、前記ボックス本体の外側方に突出させることなく該ボックス本体の背方に案内可能であるとともに、前記凹部の背方の適宜位置で該ケーブルを該ボックス本体の外側方に突出可能とすべく、該ボックス本体の背方及び外側方に開口する案内溝が前記凹部と連通して凹設されたものである。
【００２７】
前記ボックス本体の凹部の背方における側壁外面即ち該凹部から底壁に至る側壁外面には、ボックス本体の背方及び外側方に開口する案内溝が前記凹部と連通して凹設されているので、ボックス本体内から該凹部内に導かれるケーブルは、前記ボックス本体の外側方に突出することなく前記側壁外面に沿って該ボックス本体の背方に案内される。これにより、配線用ボックスを壁材の透孔内に押戻すときにケーブルが該透孔とボックス本体の側壁との間に挟まれて挿入に支障をきたすのが防止される。そして、配線用ボックスが前記壁材の透孔内に押戻された状態では、前記凹部の背方の適宜位置で該ケーブルは前記案内溝から該ボックス本体の外側方に突出することが可能であるから、なだらかな曲線を描いて壁裏に配線され、断線や破損を防止することができる。
【００２８】
請求項７にかかる配線用ボックスは、請求項３に記載の挿通孔が、ボックス本体の側壁外面に凸設された凸部を構成する傾斜面に形成されたものである。
【００２９】
請求項８にかかる配線用ボックスは、請求項１乃至請求項７のいずれか１項に記載のケーブルの挿通孔が気密構造となっている。気密構造はボックス本体の挿通孔に気密材を取付けることによって形成することができる。前記気密材はケーブルの外面と密接して、ケーブルとボックス本体の挿通孔との隙間から空気が流出入するのを阻止する。これにより、室内の温度及び湿度の調整を効率良く行なうことができる。また、室外の塵挨等が室内に流入するのを防止することができる。そして、本発明では、傾斜面の形成による作用によって、ケーブルは挿通孔の引出部で折曲するのが抑えられ、該挿通孔の縁部に負荷が加わるのが防止されるので、該挿通孔の縁部に隙間を生ずるのが防止され、気密性を一層高めることができる。加えて、ケーブルが挿通孔の縁部でこじたりして破損するのが防止され、前記ケーブルを保護することができる。
【００３０】
請求項９にかかる配線用ボックスは、請求項１乃至請求項８のいずれか１項に記載の傾斜面の縁端部に、ケーブルが前記縁端部から傾斜面と平行して側方にはみ出るのを防止するはみ出し防止壁が設けられたものである。傾斜面の縁端部のはみ出し防止壁は、挿通部から外方に出ているケーブルが傾斜面と平行して側方にはみ出して壁面と配線用ボックスに設けられた前記挟持突片との間に挟み込まれて配線用ボックスの設置に支障をきたすのを未然に防止するものである。また、前記はみ出し防止壁は、ケーブルが側方にぶれるのを防いで壁裏における配線状態を一定に保つのに寄与する。
【００３１】
前記はみ出し防止壁は傾斜面の対向する両縁端部に設けてもよいし、片側の縁端部に設けてもよい。また、傾斜面の上部に庇状にはみ出して該傾斜面の上方を覆うようにしたものとすることもできる。
【００３２】
請求項１０にかかる配線用ボックスは、請求項１乃至請求項９のいずれか１項に記載の挿通孔が、一の傾斜面に複数設けられたものである。複数の挿通孔が設けられているので、複数のケーブルを区分けして配線することができる。また、ケーブルの屈曲性等を考慮して最適な挿通孔を選択することができる。
【００３３】
請求項１１にかかる配線用ボックスは、請求項１乃至請求項１０のいずれか１項に記載の傾斜面及び挿通孔が、それぞれ複数設けられたものである。
【発明の効果】
【００３４】
本願発明は、底壁外面と側壁外面との間、底壁外面の一部或いは側壁外面の一部に傾斜面が設けられ、この傾斜面にケーブルの挿通孔が設けられていることにより、壁裏に別の壁材が立設されていることなどにより壁裏のスペースが小さく、前記別の壁材までの距離が短かい場合においても、壁裏への配線用ボックスの設置において、前記挿通孔からの突出部分においてケーブルが急激に折曲する状態を避けることができる。その結果、ケーブル内の電線が切断されたり、被覆が破損するのを防止することができる。
【００３５】
また、壁裏のケーブルを一旦壁表に引出した後、壁表で配線器具を接続し、配線用ボックス内に収容してから該配線用ボックスを壁材の透孔内に押戻すとき、ケーブルは配線用ボックスの側壁より外側方に飛び出ないから、壁材に穿設された、配線用ボックスの外壁と略同一の大きさ、形状の透孔内に、壁面と直交方向に移動させながら前記配線用ボックスを押込むことができる。その結果、前記配線用ボックスを壁裏に楽にかつ円滑に設置することができるとともに、前記ケーブルの断線、破損を防止することができる。
【００３６】
更に、挿通孔が気密構造となっているので、前記挿通孔の隙間から室内外の空気が流出入して、壁裏の塵挨等が前記挿通孔から配線用ボックス内更に室内に流入するのが防止される。また、壁裏の空気が前記挿通孔から室内に流入し、或いは、室内の空気が前記挿通孔から壁裏に流出するのを防いで、室内の温度、湿度管理の効率が低下するのを防止することができる。
【発明を実施するための最良の形態】
【００３７】
以下、本発明の実施の形態を図１乃至図２０に基づいて説明する。
【００３８】
図１は本発明の配線用ボックスを備えた配線用ボックス装置を示す分解斜視図であり、前記配線用ボックス装置は配線用ボックス１内に配線器具２１を収容した状態で壁材Ｗに設けられた透孔Ｈ内に押込んで壁裏に前記配線用ボックス１を設置するものである。前記配線用ボックス１の前面側には取付ねじ２２を介して配線器具取付枠２３が取付けられ、更に、この配線器具取付枠２３には前記配線器具２１を取着できるようになっている。前記配線器具取付枠２３の前面側即ち室内側には取付ねじ２４によって化粧プレート２５が取付けられ、更に、前記化粧プレート２５には化粧カバー２６が取着されるものとなっている。なお、図１においては、前記配線器具取付枠２３には上下に２個の配線器具２１が並設されており、これに対応して前記化粧カバー２６にも上下に２個の窓部２６ａが設けられている。
【００３９】
前記壁材Ｗは家屋の間仕切壁等として使用されるものであり、木材、石膏ボード等の材質で形成されている。家屋の建築施工時等においては、通常、建築業者が壁材Ｗを立設した後に、電設業者が予め室内配線用として壁裏に吊下げておいたケーブルＣに壁表側からスイッチ、アース等の配線器具２１を接続するため、壁材Ｗに透孔Ｈが穿設されている。前記透孔Ｈは配線用ボックス１の側壁３が挿通可能であり、かつ、前記配線用ボックス１の側壁３との隙間から空気が通流するのを防ぐため、前記配線用ボックス１の側壁３と同形状で該側壁３より僅かに大きい開口に形成される。
【００４０】
前記配線用ボックス１は、図１乃至図６に示すように、ボックス本体１ａと、このボックス本体１ａにおけるケーブルＣの挿通孔１１に取付けられた気密材１５とで構成されている。前記気密材１５を取付ける前のボックス本体１ａは、図７及び図８に示すように、前面側即ち室内に面する側に開口２が形成され、略矩形枠状の側壁３と底壁４とによって全体が略矩形筐体状に形成されており、内部に前記配線器具２１を収納できる大きさに形成されている。前記開口２の周縁には、前記壁材Ｗの表面と面当接可能なフランジ５が設けられている。図１乃至図６における前記開口２の上部及び下部の幅方向中央には前記配線器具取付枠２３を取着するための、取付ねじ２２が強制的に螺着されるボス部６が前記側壁３の内壁に沿って上下一対設けられている。前記配線用ボックス１は高さ方向中央の水平線を境として上下対称となっており、いずれ側を上向きにしても壁裏に設置することができる。
【００４１】
前記配線用ボックス１の上下の側壁３の一側の縁部にはそれぞれ奥行方向にねじ収容溝７が形成されており、このねじ収容溝７内には壁材Ｗに挟持するために使用される挟持用ねじ８が収納されている。前記ねじ収容溝７の外部側には前記挟持用ねじ８に沿って回動規制壁７ａが形成されており、この回動規制壁７ａは後述する挟持突片９の側端部と当接して該挟持突片９がそれ以上回動するのを阻止している。前記挟持用ねじ８は頭部８ａが壁表に臨んで開口２の隅部に位置し、壁表からドライバーで締付けできるようになっているとともに、他端部における軸部８ｂは前記配線用ボックス１の底壁４の隅部に設けられた支持孔４ａによって支持されている。また、前記挟持用ねじ８の他端部における軸部８ｂには金属板等を加工してなる挟持突片９が取付けられており、前記挟持突片９の端部には前記挟持用ねじ８が螺着されるねじ孔が形成されている。更に、前記配線用ボックス１における底壁４の支持孔４ａの近接位置には前記挟持突片９を格納する格納部４ｂが形成されている。この格納部４ｂは後述するように壁材Ｗの透孔Ｈ内に前記配線用ボックス１を押戻すときに前記挟持突片９が側壁３の外方に突出して該側壁３の挿入に支障をきたすのを防止するため、この挟持突片９を一時的に格納しておくものである。
【００４２】
前記挟持突片９は挟持用ねじ８を回動するに伴って底壁４の格納部４ｂ内に格納されていた状態から起立し、更に、挟持用ねじ８を回動すると側端部が側壁３のねじ収容溝７の回動規制壁７ａによってそれ以上の回動を規制され、その後は挟持用ねじ８の回動に伴って壁材Ｗの壁面に向かって引寄せられる。そして、前記挟持突片９が前記壁材Ｗの表面に当接すると、壁表側で壁材Ｗの表面と当接するフランジ５とで壁材Ｗを挟持することになる。
【００４３】
一方、上下の側壁３における前記ねじ収容溝７との反対側の外面と底壁４の外面との間には、それぞれ前記側壁３から底壁４にかけて傾斜する所定幅の傾斜面１０が設けられている。前記傾斜面１０の傾斜角度は図６に示す配線用ボックス１の開口２の軸線２ａに対して約４５度の傾きに設定されている。但し、それに限定されるものではなく、ケーブルの屈曲性、線径、設置スペースと関連する壁厚等を考慮して適宜最適な傾斜角を設定すればよい。また、傾斜面１０の長さ、巾、形状等も同様にケーブルの屈曲性等を考慮して設定すればよく、例えば、屈曲性に富んだケーブルＣを挿通する場合には、傾斜面の長さを小さくすることもできる。更に、図１乃至図６においては、壁材Ｗに設置した際に上下に位置する側壁３と底壁４との間にそれぞれ各１個計２個の傾斜面１０を設けているが、その傾斜面１０の数は問わないし、上部側の傾斜面１０と下部側の傾斜面１０との間で傾斜角度、傾斜長さ等を異ならせてもよい。上部側と下部側とで傾斜面１０の傾斜角度、長さ等を異ならせた場合には、挿通するケーブルＣの特性等に応じて上部側の傾斜面１０と下部側の傾斜面１０とを使い分けることができる。
【００４４】
更に、前記ボックス本体１ａにおける傾斜面１０の略中央部には壁裏に吊下げて配設されているケーブルＣの先端部を前記配線用ボックス１内に引込むための挿通孔１１が形成されている。前記挿通孔１１は四角孔でも丸孔でもよく、或いは楕円孔であってもよくその形状は問わない。また、前記挿通孔１１は前記傾斜面１０の略中央部に形成されているが、傾斜面１０の端部側にあってもよく、任意の位置に形成すればよい。
【００４５】
ボックス本体１ａの傾斜面１０の挿通孔１１には、塩化ビニル等の軟質材からなる気密材１５が設けられている。前記気密材１５は前記挿通孔１１の周縁部に嵌着されており、略中央部をケーブルで突き破るか、カッター等で切断することにより挿通孔１６が形成されるようになっている。なお、各図における気密材１５は、挿通孔１６を形成した後の状態を示す。前記気密材１５は図７及び図８に示すボックス本体１ａを射出成形によって形成した後、これを別の成形金型内に配置し、軟質材を射出するいわゆるインサート成形により、ボックス本体１ａと一体化することができる。或いは、軟質材からなる気密材１５を別途に形成し、この気密材１５の周縁部にスリットを全周に至って形成してこれを前記挿通孔１１の周縁部に嵌着することによってボックス本体１ａと一体化することもできる。これにより、ケーブルで突き破るか、カッター等で切断することによって挿通孔１６を形成し、この挿通孔１６にケーブルＣを挿通するまでの間、ボックス本体１ａ内を密封状態にしておくことができる。
【００４６】
前記傾斜面１０における配線用ボックス１の中央寄りの側端部には前記挿通孔１６から外方に突出するケーブルＣが該傾斜面１０から側方にはみ出すのを防止するはみ出し防止壁１２が立設されている。このはみ出し防止壁１２は、前記ケーブルＣが前記挿通孔１６から外方に出た部分が緩んだときに傾斜面１０の側端部から配線用ボックス１の中央寄りにはみ出して一部が挟持突片９よりフランジ５側に侵入してしまうと、前記フランジ５と挟持突片９とによる配線用ボックス１の挟持ができないこととなるので、これを防止するために設けたものである。また、前記はみ出し防止壁１２はケーブルＣが側方にぶれるのを防いで壁裏における配線状態を一定に保つのに寄与する。
【００４７】
なお、前記はみ出し防止壁１２は、図９に示すように、外部側にも設けても良く、即ち、傾斜面１０の両側端部に立設してもよい。この場合は、前記ケーブルＣが前記挿通孔１６から外側方に引出された部分が緩んだときに傾斜面１０の側端部から配線用ボックス１の水平側方にはみ出して湾曲状に突出し、設置において配線用ボックス１を壁材Ｗの透孔Ｈ内に押込む際にその作業の支障となるのを避けることもできる。
【００４８】
次に、上記のように構成された本実施形態の配線用ボックスを壁裏に設置する作業を、壁裏に別の壁材Ｗ１等が立設されていることによって壁裏スペースが小さくなっている場合において、図１０乃至図１３に基づいて説明する。
【００４９】
配線用ボックスを壁裏に設置するには、図示しないが、予め、壁材Ｗにおける配線用ボックス１の設置箇所に透孔Ｈを設けておく。また、別途、配線器具取付枠２３に配線器具２１を取付けておく。但し、前記配線器具２１はケーブルＣと接続した後に前記配線器具取付枠２３と接続しても構わない。次に、壁裏において上方から吊下げられているケーブルＣを前記透孔Ｈから配線用ボックス１の挿通孔１６に挿通して壁表に引出し、図１０に示すように、前記ケーブルＣの先端に配線器具２１を接続する。次いで、図１に示す取付ねじ２２を前記配線器具取付枠２３に設けられた取付孔内に挿通し、図１に示す配線用ボックス１のボス部６に螺着して前記配線器具取付枠２３を該配線用ボックス１の前面に取付けるとともに、前記配線器具２１を前記配線用ボックス１内に収容する。
【００５０】
配線器具２１を配線用ボックス１内に収容したら、図１１に示すように、前記配線用ボックス１を壁材Ｗの透孔Ｈ内に押込む。このとき、ケーブルＣは前記配線用ボックス１に傾斜面１０が設けられ、この傾斜面１０に形成された挿通孔１６に挿通して配線用ボックス１内に引込まれているので、壁裏の前記別の壁材Ｗ１との距離が短かく、壁裏が狭い場合においても、急激に折曲することがなく、緩やかな湾曲線を描いて配線される。
【００５１】
次に、配線用ボックス１を完全に前記透孔Ｈ内に挿入したら、壁表からドライバー等の工具を使用して挟持用ねじ８を回す。すると、配線用ボックス１の格納部４ｂ内の挟持突片９は起立し、ねじ収容溝７の片側に回動規制壁７ａが形成されていることによってそれ以上の回動が阻止され、挟持用ねじ８に沿って壁表側に移動する。そして、壁面と当接して、図１２に示すように、配線用ボックス１のフランジ５とともに壁材Ｗを挟持する。これにより、配線用ボックス１は壁材Ｗに設置される。
【００５２】
このようにして、壁材Ｗに配線用ボックス１が設置されたら、図１３に示すように、配線器具取付枠２３の前面に図１に示す取付ねじ２４を介して化粧プレート２５を取付け、更に、化粧カバー２６を取付ける。
【００５３】
以上により、配線用ボックスの設置作業が完了する。
【００５４】
次に、配線用ボックス１を壁材Ｗの透孔Ｈ内に押込むときのケーブルＣの屈曲状態について説明する。
【００５５】
前記配線用ボックス１には側壁３と底壁４との間に傾斜面１０が設けられているので、挿通孔１６の位置は傾斜面１０における垂直方向の長さ分だけ上部の側壁３から配線用ボックス１の内部側に後退する。また、傾斜面１０の形成により、ケーブルＣは上部の側壁３の挿通孔１６から真上方向ではなく斜め上方に向けて引出される。これらのことより、前記ケーブルＣは底壁４の位置においては前記透孔Ｈの上部縁端部より下方に位置する。したがって、配線用ボックス１を前記透孔Ｈ内に押戻すときに、前記挿通孔１６から外側方に引出された部分で、図２５に示す従来の配線用ボックスにおいて生じた湾曲部Ｃ２が発生するのが抑えられ、ケーブルＣは透孔Ｈの上部縁端部と配線用ボックス１の側壁３の外面との間に挟み込まれることがないから、配線用ボックス１を円滑に前記透孔Ｈ内に押込むことができる。
【００５６】
そして、配線器具２１を配線用ボックス１内に収容した後、前記配線用ボックス１を壁材Ｗの透孔Ｈ内に押込むときにおいては、同様に、挿通孔１６の位置は傾斜面１０における水平方向の長さ分だけ前記底壁４面から配線用ボックス１の内部側に後退し、したがって、その分挿通孔１６から壁裏の別の壁材Ｗ１までの距離が長くなる。また、傾斜面１０の形成により、ケーブルＣは挿通孔１６から斜め上方に向けて引出される。これらのことより、配線用ボックス１が前記透孔Ｈ内に挿入された状態で、ケーブルＣは前記配線用ボックス１の挿通孔１６から引出された部分において鋭角で急激に折曲することがなく、壁裏において緩やかな曲線状態で配線される。その結果、急角度で折曲することによってケーブルＣが断線したり、被覆に亀裂が生ずるのが防止される。
【００５７】
次に、挿通孔１１に嵌着された気密材１５の作用について説明する。
【００５８】
この気密材１５はケーブルＣで突き破ることにより、或いは、カッター等で切断することにより、挿通孔１６が形成されるが、この挿通孔１６に前記ケーブルＣが挿通されたときに、前記ケーブルＣの外面と密接する。その結果、この部分から室内外の空気が流出入して、壁裏の塵挨等が配線用ボックス１内更に室内に流入するのが防止される。また、壁裏の空気が室内に流入し、或いは、室内の空気が壁裏に流出することにより、室内の温度、湿度管理の効率が低下するのが防止される。
【００５９】
ところで、上記実施形態においては、一つの傾斜面１０に対して１個の挿通孔１６を形成しているが、図１４に示すように、一つの傾斜面１０に対して２個の挿通孔１１を形成してもよく、或いは、３個以上の挿通孔１６を形成してもよい。この場合には、ケーブルＣをより最適な位置で挿通孔１６から引出せる。なお、各挿通孔１６は互いに大きさ、形状を異ならせてもよく、各挿通孔１６における傾斜面１０の傾斜角を互いに異ならせることもできる。
【００６０】
次に、上記実施形態の別の変形例を図１５に示す。
【００６１】
図１５において、配線用ボックス１の傾斜面１０には上部の側壁３から底壁４側に向けて水平方向に延出長さＬで延出する庇１３が一体に形成されている。この配線用ボックス１の場合には、挿通孔１６から突出したケーブルＣは前記庇１３によって規制されるため、配線用ボックス１の透孔Ｈ内への押込み時に、上部の側壁３の面より上方に湾曲して飛び出るのが抑えられ、配線用ボックス１を該透孔Ｈ内に円滑に挿通することができる。但し、前記庇１３はその延出長さＬが大きすぎると、挿通孔１６から引出されたケーブルＣを斜め上方に案内してなだらかな曲線状態を得る妨げとならない延出長さに設定される。
【００６２】
次に、上記実施形態の更に別の変形例を図１６に示す。
【００６３】
図１６において、配線用ボックス１の傾斜面１０の挿通孔１６にはケーブルＣと略同一径、同一形状の内部空間を有するガイド管１４が取付けられている。前記ガイド管１４は前記傾斜面１０と直交する方向に所定長さ形成されている。この配線用ボックス１の場合には、挿通孔１６から引出されたケーブルＣは前記ガイド管１４によってこれに沿う一定方向に導かれるので、前記ケーブルＣが前記挿通孔１６から引出された後、側方に振れて水平方向に屈曲することにより、壁裏の別の壁材Ｗ１との間隔が小さくなるのが防止され、断線、破損を防ぐことができる。また、逆に、前記挿通孔１６からの引出部において上方向に屈曲し、上部の側壁３の外面より大きく上方に湾曲して飛び出るのが防止され、配線用ボックス１を該透孔Ｈ内に円滑に挿通することができる。更に、この挿通孔１６の引出部においてケーブルＣが急激に屈曲するのを回避して該ケーブルＣが断線、破損するのを防止することもできる。
【００６４】
なお、気密材１５のみによってもケーブルＣを弾性的に保持してある程度一定方向に導くことが可能であるが、このガイド管１４を設けることにより、その効果を更に高めることができ、また、気密性もより高めることができる。
【００６５】
次に、本願の他の実施形態の配線用ボックスを図１７乃至図２０に基づいて説明する。
【００６６】
まず、図１７においては、配線用ボックス１の底壁４における上部には該配線用ボックス１の内部側に向けて突出し、略く字状に屈曲した屈曲面を有する凹部１７が形成されており、この凹部１７に傾斜面１０が形成されている。そして、この傾斜面１０にはケーブルＣが挿通する挿通孔１６が設けられている。
【００６７】
この図１７に示す配線用ボックス１は内部の収容空間が若干狭くなるものの、位置的に底壁４における上部に挿通孔１６を設けた方が内部に収容される配線器具２１との結線状態がよい場合に有益であり、前述の側壁３と底壁４との間に傾斜面１０を設けたものと同様に、ケーブルＣは前記挿通孔１６から斜め上方に突出するので、壁裏が狭い場合にも前記ケーブルＣが急角度に折曲して断線、破損を生ずるのを防止することができる。この図１７に示す配線用ボックス１の場合には、特に、傾斜面１０が底壁４における上部に設けられているので、前述の、上部側壁３と底壁４との間にかけて傾斜する傾斜面１０と比べて挿通孔１６はより下方に位置するから、前記配線用ボックス１を壁材Ｗの透孔Ｈ内に押込む際に前記ケーブルＣが該透孔Ｈの周縁部と干渉して挿入の支障となるのをより確実に防止することができる。
【００６８】
なお、前記傾斜面１０は底壁４の高さ方向の略中央部など任意の位置に任意数設けることもできる。
【００６９】
次に、図１８においては、底壁４の上部において外側に向けて突出し、略く字状に屈曲した屈曲面を有する凸部１８を設けることもできる。
【００７０】
この図１６に示す配線用ボックス１の場合は、屈曲面の突出分だけ壁裏の別の壁材Ｗ１との水平距離が短かくなるが、挿通孔１６から突出したケーブルＣが斜め上方に立上がることにより短縮された長さ分を吸収し、ケーブルＣの急角度の折曲を回避できれば、配線用ボックス１内の収容空間をより広く確保できる効果が得られる。なお、この図１８に示す配線用ボックス１においても、略く字形状の屈曲面は底壁４の任意の位置に任意数設けることができる。
【００７１】
次に、図１９及び図２０においては、上部側の側壁３の一部に配線用ボックス１の内部側に突出する凹部１７が凹設され、この凹部１７の傾斜面１０に前記配線用ボックス１の背方に向けてケーブルＣを引出し可能な挿通孔１６が設けられている。更に、この凹部１７の背方における側壁３の外面には該凹部１７と連通する案内溝１９が凹設され、この案内溝１９は背方開口部１９ａ及び外側方開口部１９ｂにおいて前記配線用ボックス１の背方及び外側方にそれぞれ開口している。
【００７２】
この図１９及び図２０に示す配線用ボックス１においては、該凹部１７内に引出されたケーブルＣを前記案内溝１９に沿って図１９の実線で示す方向に導き、前記ケーブルＣが前記配線用ボックス１の外側方における上方向及び左右方向に突出して前記配線用ボックス１の側壁３と壁材Ｗの透孔Ｈとの間で挟まれるのを防止し、配線用ボックス１を透孔Ｈ内に円滑に押戻すことができる。
【００７３】
また、ケーブルＣを前記案内溝１９の適宜位置で外側方に突出させることが可能であるから、配線用ボックス１を壁材Ｗの透孔Ｈ内に押込んだ後、前記ケーブルＣを前記案内溝１９の適宜位置で壁裏側で図１９の二点鎖線で示す方向に突出させることにより、ケーブルＣをなだらかな曲線を描いて配線することができる。
【００７４】
次に、図示しないが、上部の側壁３の外面に、図１８に示した凸部１８と同様の凸部を形成し、この凸部の傾斜面に挿通孔を設けることもできる。この場合は、図２５に示す従来例と同様に、ケーブルＣは側壁３の外面から上方に突出する。しかし、傾斜面に設けられた挿通孔は斜め背方に向けて引出されるので、従来例のように真上方向に引出されて大きく外側方に突出することがなく、図２５におけるケーブルＣの湾曲部Ｃ２の突出量を小さく抑えることができる。このため、配線用ボックス１の姿勢を変えながら押込むことにより、前記透孔Ｈ内に挿入することが可能である。
【００７５】
ところで、上記各実施形態においては、ボックス本体１ａの挿通孔１１に気密材１５を取付けたものを示しているが、本発明を実施する場合には、前記気密材１５を取付けないものとしてもよく、この場合も、壁裏のケーブルＣの配線状態や配線用ボックス１の透孔Ｈ内への押込み等において同様の効果を得ることができる。なお、この場合、ケーブルＣを保護するため、挿通孔１１における該ケーブルＣと接触する周縁にその角部を削る面取り加工を施しておくとよい。
【図面の簡単な説明】
【００７６】
【図１】本願発明の実施形態の配線用ボックスを備えた配線用ボックス装置を示す分解斜視図である。
【図２】図１の配線用ボックスを斜め正面側から見た斜視図である。
【図３】図１の配線用ボックスを斜め背面側から見た斜視図である。
【図４】図１の配線用ボックスの正面図である。
【図５】図１の配線用ボックスの背面図である。
【図６】図１の配線用ボックスの縦断面図である。
【図７】図１のボックス本体を斜め正面側から見た斜視図である。
【図８】図１のボックス本体を斜め背面側から見た斜視図である。
【図９】図１の配線用ボックスの変形例を示す斜視図である。
【図１０】図１の配線用ボックスを壁裏に設置する作業を示す断面図である。
【図１１】同様に、図１の配線用ボックスを壁裏に設置する作業を示す断面図である。
【図１２】同様に、図１の配線用ボックスを壁裏に設置する作業を示す断面図である。
【図１３】同様に、図１の配線用ボックスを壁裏に設置する作業を示す断面図である。
【図１４】図１の配線用ボックスの別の変形例を示す要部斜視図である。
【図１５】図１の配線用ボックスの別の変形例を示す斜視図である。
【図１６】図１の配線用ボックスの更に別の変形例を示す断面図である。
【図１７】本願発明の他の実施形態の配線用ボックスを示す断面図である。
【図１８】本願発明の他の実施形態における別の配線用ボックスを示す断面図である。
【図１９】本願発明の他の実施形態における更に別の配線用ボックスを示す断面図である。
【図２０】図１７の要部斜視図である。
【図２１】従来の配線用ボックスを備えた配線用ボックス装置を示す分解斜視図である。
【図２２】図２１の配線用ボックスを壁材に設置する前の状態を示す断面図である。
【図２３】図２１の配線用ボックスを壁材に設置した後の状態を示す断面図である。
【図２４】図２１の配線用ボックスを狭い壁裏に設置したときのケーブルの状態を示す側面図である。
【図２５】従来の別の配線用ボックスを壁材の透孔内に押戻す状態を示す側面図である。
【符号の説明】
【００７７】
１    配線用ボックス
１ａ  ボックス本体
２    開口
２ａ  軸線
３    側壁
４    底壁
５    フランジ
９    挟持突片
１０    傾斜面
１１、１６  挿通孔
１２    はみ出し防止壁
１５    気密材
１７    凹部
１８    凸部
１９    案内溝
１９ａ  背方開口部
１９ｂ  外側方開口部
２１    配線器具
Ｃ    ケーブル
Ｈ    透孔
Ｗ    壁材
【図１】
2005151666.tif 000003
【図２】
2005151666.tif 000004
【図３】
2005151666.tif 000005
【図４】
2005151666.tif 000006
【図５】
2005151666.tif 000007
【図６】
2005151666.tif 000008
【図７】
2005151666.tif 000009
【図８】
2005151666.tif 000010
【図９】
2005151666.tif 000011
【図１０】
2005151666.tif 000012
【図１１】
2005151666.tif 000013
【図１２】
2005151666.tif 000014
【図１３】
2005151666.tif 000015
【図１４】
2005151666.tif 000016
【図１５】
2005151666.tif 000017
【図１６】
2005151666.tif 000018
【図１７】
2005151666.tif 000019
【図１８】
2005151666.tif 000020
【図１９】
2005151666.tif 000021
【図２０】
2005151666.tif 000022
【図２１】
2005151666.tif 000023
【図２２】
2005151666.tif 000024
【図２３】
2005151666.tif 000025
【図２４】
2005151666.tif 000026
【図２５】
2005151666.tif 000027